(57)【要約】【課題】通路を作業スペースと異なる高さにする場合でも、作業スペースと通路との間を任意の位置で仕切ることのできる仕切り装置を提供する。【解決手段】床スラブ１上に設置される通路台１０と、この通路台１０の側方の作業スペース２と通路台１０の上部の通路３とを仕切る移動自在な仕切り壁２０とからなる仕切り装置である。仕切り壁２０を移動することにより、通路３の幅を広げて作業スペース２を縮小したり、逆に通路３の幅を縮小して作業スペース２を広げたりすることができる。あるいは、作業スペース２と通路３とを一体化し、作業スペース２として利用したり、通路３として利用したりすることができる。【選択図】図１
2005256360.tif 000002
【特許請求の範囲】
【請求項１】
地面または床スラブ上に設置される通路台と、この通路台の側方の作業スペースと通路台の上部の通路とを仕切る移動自在な仕切り壁とからなることを特徴とする仕切り装置。
【請求項２】
前記仕切り壁は前記通路台の側面に設けられた支持材により前記通路台の天板と平行な方向に移動自在に支持されていることを特徴とする請求項１に記載の仕切り装置。
【請求項３】
前記仕切り壁は前記通路台の天板よりも下方に収納されることを特徴とする請求項１に記載の仕切り装置。
【請求項４】
前記仕切り壁と前記通路台の天板との間に、天板と同じ高さに着脱自在に設置される置き床を備えることを特徴とする請求項１〜３のいずれか一項に記載の仕切り装置。
【請求項５】
前記仕切り壁は前記通路台に着脱自在に設けられていることを特徴とする請求項１〜４のいずれか一項に記載の仕切り装置。
【請求項６】
前記仕切り壁は下端部で前記通路台の天板の側端部に回動自在に固定されていることを特徴とする請求項１に記載の仕切り装置。
【発明の詳細な説明】
【技術分野】
【０００１】
本発明は、床の高さが異なる作業スペースと通路との間を仕切る仕切り装置に関する。
【背景技術】
【０００２】
例えば駅構内にエレベーター、エスカレーターを新設する場合等、人通りの多い場所で構造物を構築する際には、図９に示すように、鋼管を組み上げて骨組５０を形成し、これに天板５１を固定して仮設ホームを形成するとともに、仕切り壁５２を固定して作業スペース２をホーム（通路３）から仕切ることが一般的である。仕切りを設けることにより、作業スペースと通路とを隔離し、作業に伴って発生する騒音や粉塵等を遮蔽することができる。
【０００３】
また、例えばエレベーター乗り場のような狭い場所で工事をする際に、幅方向に伸縮自在の側壁材を用いるとともに、車輪を設けた前後の壁材を床上で動かし、作業スペースを拡大したり縮小したりする方法も知られている（例えば、特許文献１参照）。
【特許文献１】特開２００３−７３０６０号公報
【発明の開示】
【発明が解決しようとする課題】
【０００４】
しかし、鋼管を組み上げた骨組に板材を固定した仕切りは、設置位置を動かすことができないため、作業をしていないときに通路幅員を広げたり、あるいは通行人がいないときに作業スペースを広げたりすることができなかった。
【０００５】
また、仕切りに伸縮自在の側壁材を用いるとともに、車輪を設けた前後の壁材を床上で動かす方法は、床面が平滑な場所でしか適用することができなかった。また、例えば駅のホームなど、通路の高さを作業スペースよりも高くする必要がある場合には適用することができなかった。
【０００６】
本発明の課題は、通路を作業スペースと異なる高さにする場合でも、作業スペースと通路との間を任意の位置で仕切ることのできる仕切り装置を提供することにある。
【課題を解決するための手段】
【０００７】
以上の課題を解決するため、請求項１に記載の発明は、仕切り装置であって、例えば図１に示すように、地面または床スラブ１上に設置される通路台１０と、この通路台１０の側方の作業スペース２と通路台１０の上部の通路３とを仕切る移動自在な仕切り壁２０とからなることを特徴とする。
【０００８】
請求項１に記載の発明によれば、地面または床スラブ１上に設置される通路台１０と、この通路台１０の側方の作業スペース２と通路台１０の上部の通路３とを仕切る移動自在な仕切り壁２０とからなるので、仕切り壁２０を移動することにより、通路台１０上の通路３の幅を増減したり、作業スペース２を増減したりすることができる。
【０００９】
請求項２に記載の発明は、請求項１に記載の仕切り装置であって、例えば図２または図３に示すように、前記仕切り壁２０は前記通路台１０の側面に設けられた支持材１２により前記通路台１０の天板１１と平行な方向に移動自在に支持されていることを特徴とする。
【００１０】
請求項２に記載の発明によれば、通路台１０の側面に設けられた支持材１２により仕切り壁２０が通路台１０の天板１１と平行な方向に移動自在に支持されているため、仕切り壁２０を通路台１０の天板１１と平行な方向に移動して通路台１０上の通路３の幅を増減することができる。
【００１１】
請求項３に記載の発明は、請求項１に記載の仕切り装置であって、例えば図４に示すように、前記仕切り壁２０は前記通路台１０の天板１１よりも下方に収納されることを特徴とする。
【００１２】
請求項３に記載の発明によれば、仕切り壁２０が通路台１０の天板１１よりも下方に収納されるため、作業スペース２と通路３とを一体化した空間とすることができる。
【００１３】
請求項４に記載の発明は、請求項１〜３のいずれか一項に記載の仕切り装置であって、前記仕切り壁２０と前記通路台１０の天板１１との間に、天板１１と同じ高さに着脱自在に設置される置き床３０を備えることを特徴とする。
【００１４】
請求項４に記載の発明によれば、仕切り壁２０と通路台１０の天板１１との間に、通路台１０の上面と同じ高さに置き床３０を設置して置き床３０の幅だけ通路台１０上の通路３の幅を広げたり、置き床３０を取り外して通路３の幅を元に戻したりすることができる。
【００１５】
請求項５に記載の発明は、請求項１〜４のいずれか一項に記載の仕切り装置において、例えば図６に示すように、前記仕切り壁２０は前記通路台１０に着脱自在に設けられていることを特徴とする。
【００１６】
請求項５に記載の発明によれば、仕切り壁２０が通路台１０に着脱自在に設けられているため、仕切り壁２０を取り外して作業スペース２と通路３とを一体化した空間とすることができる。
【００１７】
請求項６に記載の発明は、請求項１に記載の仕切り装置であって、例えば図７または図８に示すように、前記仕切り壁２０は下端部で前記通路台１０の天板１１の側端部に回動自在に固定されていることを特徴とする。
【００１８】
請求項６に記載の発明によれば、仕切り壁２０が下端部で通路台１０の天板１１の側端部に回動自在に固定されているため、仕切り壁２０を通路台１０の側方に倒して通路３の幅を広げたり、仕切り壁２０を通路台１０上に倒して作業スペース２と通路３とを一体化した空間としたりすることができる。
【発明の効果】
【００１９】
本発明によれば、通路を作業スペースと異なる高さにする場合でも、仕切り壁を移動することにより、通路台上の通路幅を広げて作業スペースを縮小したり、逆に通路幅を縮小して作業スペースを広げたりすることができる。あるいは、作業スペースと通路とを一体化し、作業スペースとして利用したり、通路として利用したりすることができる。
【発明を実施するための最良の形態】
【００２０】
以下、本発明について詳細に説明する。本発明の仕切り装置は、駅構内の工事や、道路工事において、作業スペース２と通路３とを仕切るのに用いられる。
図１は本発明の仕切り装置の第１の実施の形態を示すものである。仕切り装置は、仕切り壁２０と、通路台１０とから構成される。
【００２１】
仕切り壁２０としては、合板や金属板など、仕切り壁２０として従来使用されていたものを使用することができる。仕切り壁２０は、作業スペース２と通路３とを隔離し、作業に伴って発生する騒音や粉塵等を遮蔽する。ここで、作業スペース２となるのは、図１において仕切り壁２０よりも左側の空間であり、通路３となるのは、図１において仕切り壁２０よりも右側かつ通路台１０の上部の空間である。
【００２２】
仕切り壁２０の下端部は、通路台１０の側方に設けられた支持材１２と接合されている。仕切り壁２０は、支持材１２により、任意の方向へ移動できるように固定されている。
【００２３】
通路台１０は、鋼管を組み上げ、上部に天板１１を固定して形成されている。また、通路台１０の下端は床スラブ１に埋設されて固定されている。通路台１０は、例えば駅構内の工事における仮設ホームや、道路工事における仮設歩道として使用される。
【００２４】
また、通路台１０の作業スペース２に面する側の側部（図１の左側）には、仕切り壁２０を支持する支持材１２が設けられている。支持材１２は、通路台１０の側部上端にヒンジ１５ａで回動自在に接合された上側支持材１３と、通路台１０の側部下端にヒンジ１５ｂで回動自在に接合された下側支持材１４とからなる。上側支持材１３および下側支持材１４の、通路台１０に接合された端部と反対側の端部は、仕切り壁２０の下端とヒンジ１６で接合されている。
【００２５】
上側支持材１３や下側支持材１４としては、例えば２本の鋼管をヒンジ１３ａ、１４ａで接合したものを用いることができる。
上側支持材１３及び下側支持材１４を構成する鋼管をヒンジ１３ａ、１４ａで回動させるとともに、上側支持材１３及び下側支持材１４をヒンジ１５ａ、１５ｂで回動させることで、仕切り壁２０をその壁面に垂直な方向に移動することができる。
【００２６】
例えば、図１（ａ）に示すように、通路台１０の天板１１よりも側方に固定することができる。あるいは図１（ｂ）に示すように、天板１１の上部に固定することもできる。また、図１（ａ）と図１（ｂ）との間の任意の位置で仕切り壁２０を固定することもできる。
【００２７】
また、図１（ａ）に示すように、天板１１と仕切り壁２０の下端との間が空く場合には、天板１１と仕切り壁２０の下端との間に着脱自在な置き床３０を設置してもよい。置き床３０を設置することで、置き床３０の上部の空間も通路３として使用することができる。
【００２８】
このように、仕切り壁２０を移動することで、作業スペース２と通路３とを任意の位置で仕切ることができる。例えば交通量が多い昼間は図１（ａ）に示すように通路３を広くすることができる。あるいは交通量が少ない夜間は図１（ｂ）に示すように通路３を狭くすることで、作業スペース２を広くすることができる。
【００２９】
図２は本発明の仕切り装置の第２の実施の形態を示すものである。本実施の形態が第１の実施の形態と異なる点は２点ある。１点は、上側支持材１３が１本の鋼管からなり、通路台１０の天板１１の下に横方向に収納可能となっている点である。もう１点は、下側支持材１４のヒンジ１７が、２本の鋼管を互いに回動自在とするとともに、一方の鋼管をヒンジに対して摺動自在に保持する点である。
【００３０】
あるいは、図３に示すように、上側支持材１３や下側支持材１４を、外側鋼管１８ａの内部に内側鋼管１８ｂが収納される構造としてもよい。このような構造の下側支持材１４は、外側鋼管１８ａと内側鋼管１８ｂとを摺動させて任意の長さに固定することができる。
【００３１】
本実施の形態の仕切り装置においても、上側支持材１３を通路台１０の天板１１の下に横方向に収納することで、仕切り壁２０をその壁面に垂直な方向に移動することができる。なお、本実施の形態においては、図２（ｂ）や図３（ｂ）に示すように、通路３の幅は最も狭くても通路台１０の天板１１の幅に保たれる。
【００３２】
図４は、本発明の仕切り装置の第３の実施の形態を示すものである。本実施の形態では、仕切り壁２０を、通路台１０とほぼ等しい高さの上下２枚の壁材２０ａ、２０ｂをヒンジ２１で固定して形成しており、折り曲げ自在としている。なお、図４では１本の鋼管からなる上側支持材１３と、２本の鋼管をヒンジで接合した下側からなる支持材１２を用いたが、例えば図１〜３に示したものと同様の支持材１２を用いてもよい。
【００３３】
本実施の形態では、図４（ｂ）に示すように、仕切り壁２０を半分の高さに折りたたむとともに、支持材１２を折りたたみ、通路台１０の側部に収納することができる。したがって、例えば通路３の交通量がない時間帯に、通路台１０の側方のスペースと、通路台１０の上部の空間とを一体化し、作業スペース２として利用することができる。
【００３４】
なお、仕切り壁２０を半分の高さに折りたたんで通路台１０の側部に収納する代わりに、例えば図５に示すように、高さ方向に伸縮自在の仕切り壁２０を用いてもよい。伸縮自在の仕切り壁２０としては、例えば箱型の下側壁材２２ａの内部に、板状の上側壁材２２ｂが貫入する構造などがある。あるいは蛇腹構造の仕切り壁２０であってもよい。
【００３５】
作業スペース２と通路３とを仕切る時は、図５（ａ）に示すように、仕切り壁２０を伸長しておき、作業スペース２と通路３とを一体化するときは、図５（ｂ）に示すように、仕切り壁２０の高さを縮めて収納することができる。
【００３６】
図６は、本発明の仕切り装置の第４の実施の形態を示すものである。本実施の形態では、支持材１２のヒンジ１６に、仕切り壁２０を嵌め込んで固定する嵌め込み部１９を形成している。
【００３７】
通路台１０上を通路３として用いるときは、図６（ａ）に示すように、仕切り板を嵌め込み部１９に嵌めて立てておき、作業時には、図６（ｂ）に示すように、仕切り板を嵌め込み部１９から外して床スラブ１上に下ろす。仕切り板の位置を下げることにより、通路台１０の側方のスペースと、通路台１０の上部の空間とを一体化することができる。
【００３８】
本実施の形態では、仕切り板が通路台１０の天板１１よりも上部に突出することとなる。このため、例えば通路台１０上でクレーンを用いる場合など、仕切り板が通路台１０の天板１１よりも上部に突出していても支障がない作業を行う場合等に用いることができる。
【００３９】
なお、図６（ｂ）に示すように、床スラブ１上に下ろした仕切り壁２０を、嵌め込み部１９により固定してもよい。また、本実施の形態においても、仕切り壁２０を壁面に垂直な方向に移動し、通路台１０上の作業スペース２の幅を減縮してもよい。
【００４０】
図７及び図８は、本発明の仕切り装置の第５の実施の形態を示すものである。本実施の形態では、仕切り壁２０を通路台１０の天板１１の側端部にヒンジ１６で回動自在に固定している。
【００４１】
本実施の形態では、交通量が少ないときには、図７（ａ）に示すように、仕切り壁２０を鉛直に立てておき、通路台１０上を通路３として用いるとともに、通路台１０の側方の空間（図７（ａ）の仕切り壁２０よりも左側の空間）で作業を行うことができる。
【００４２】
また、交通量が多いときには、作業を休止するとともに、例えば図７（ｂ）に示すように、通路台１０の側方（図７（ｂ）において通路台１０の左側）に支持台４０を載置し、仕切り壁２０を側方に倒して支持台４０に支持させ、倒した仕切り壁２０の上部を通路３として用いることができる。
【００４３】
また、交通がない時には、図８に示すように、仕切り壁２０を通路台１０の天板１１上に倒すことで、通路台１０の側方のスペースと、通路台１０の上部の空間とを一体化し、作業スペース２として利用することができる。
【００４４】
なお、本発明は、以上の実施の形態に限られることなく、例えば支持材１２を鋼管以外の材料を用いて形成してもよい。また、通路台１０の用途も、仮設ホームや、仮設歩道に限られることはなく、例えば車両用通路３として用いてもよい。またヒンジその他の具体的な細部構造についても変更可能であることはもちろんである。
【図面の簡単な説明】
【００４５】
【図１】本発明の仕切り装置を示す概略図であり、（ａ）は通路の幅を広げた時、（ｂ）は通路の幅を狭めた時を示す側面図である。
【図２】本発明の仕切り装置を示す概略図であり、（ａ）は通路の幅を広げた時、（ｂ）は通路の幅を狭めた時を示す側面図である。
【図３】本発明の仕切り装置を示す概略図であり、（ａ）は通路の幅を広げた時、（ｂ）は通路の幅を狭めた時を示す側面図である。
【図４】本発明の仕切り装置を示す概略図であり、（ａ）は作業スペースと通路とを仕切った時、（ｂ）は仕切り壁を折りたたんで収納した時を示す側面図である。
【図５】本発明の仕切り装置を示す概略図であり、（ａ）は作業スペースと通路とを仕切った時、（ｂ）は仕切り壁を下げた時を示す側面図である。
【図６】本発明の仕切り装置を示す概略図であり、（ａ）は作業スペースと通路とを仕切った時、（ｂ）は仕切り壁を下げた時を示す側面図である。
【図７】本発明の仕切り装置を示す概略図であり、（ａ）は作業スペースと通路とを仕切った時、（ｂ）は仕切り壁を倒して作業スペースを通路とした時を示す側面図である。
【図８】本発明の仕切り装置を示す概略図であり、仕切り壁を倒して通路を作業スペースとした時を示す側面図である。
【図９】従来の仕切りを示す概略側面図である。
【符号の説明】
【００４６】
１     床スラブ
２     作業スペース
３     通路
１０   通路台
１１   天板
１２   支持材
２０   壁
３０   床
【図１】
2005256360.tif 000003
【図２】
2005256360.tif 000004
【図３】
2005256360.tif 000005
【図４】
2005256360.tif 000006
【図５】
2005256360.tif 000007
【図６】
2005256360.tif 000008
【図７】
2005256360.tif 000009
【図８】
2005256360.tif 000010
【図９】
2005256360.tif 000011